【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
複数の遊技機と、
前記各遊技機毎に設置されて、遊技者毎に付与された遊技者識別情報を取得可能な補助遊技用ユニットと、
前記補助遊技用ユニットと接続されて、前記遊技者識別情報に対応して遊技者に所定の特典を付与するための獲得ポイント情報を記憶保持可能であるとともに特定の遊技条件の成立に基づいて該獲得ポイント情報を更新する管理装置と、
を備えた遊技場システムにおいて、
前記補助遊技用ユニットは、
所定条件の成立に基づいて、所定の確率で前記特典を付与するか否かを決定する特典等付与決定手段と、
前記特典等付与決定手段による結果を報知する報知手段と、
を備え、
前記特典等付与決定手段は、
前記獲得ポイント情報のポイント数に応じて、前記特典を付与することが決定される確率を変動可能であり、該ポイント数が多い程該特典を付与することが決定される確率を高めることを特徴とする遊技場システム。
【請求項２】
前記特典等付与決定手段は、
対応する遊技機からの大当り信号の入力に基づき前記特典を付与するか否かを複数のテーブルデータのうちいずれかのテーブルデータを参照して決定するものとし、対応する遊技機において通常図柄での大当りが発生した場合よりも確率変動図柄での大当りが発生した場合の方が、該特典を付与することが決定される確率の高いテーブルデータを選択することを特徴とする請求項１に記載の遊技場システム。
【手続補正２】
【補正対象書類名】明細書
【補正対象項目名】０００９
【補正方法】変更
【補正の内容】
【０００９】
【課題を解決するための手段】
上記目的を達成するため本発明は、複数の遊技機（パチンコ遊技機１００）と、前記各遊技機毎に設置されて、遊技者毎に付与された遊技者識別情報（会員カードＣ，データベースＤＢ）を取得可能な補助遊技用ユニット（１０３）と、前記補助遊技用ユニットと接続されて、前記遊技者識別情報に対応して遊技者に所定の特典を付与するための獲得ポイント情報を記憶保持可能であるとともに特定の遊技条件の成立に基づいて該獲得ポイント情報を更新する管理装置（遊技者情報管理装置２００）と、を備えた遊技場システムにおいて、
前記補助遊技用ユニットは、所定条件の成立に基づいて、所定の確率で前記特典を付与するか否かを決定する特典等付与決定手段（制御部１１０，判定テーブル（ａ），（ｂ））と、前記特典等付与決定手段による結果を報知する報知手段（スピーカー１１３，情報表示器１０６）と、を備え、
前記特典等付与決定手段は、前記獲得ポイント情報のポイント数に応じて、前記特典を付与することが決定される確率を変動可能であり、該ポイント数が多い程該特典を付与することが決定される確率を高めるようにしたものである。
また、前記特典等付与決定手段は、対応する遊技機からの大当り信号の入力に基づき前記特典を付与するか否かを複数のテーブルデータのうちいずれかのテーブルデータを参照して決定するものとし、対応する遊技機において通常図柄での大当りが発生した場合よりも確率変動図柄での大当りが発生した場合の方が、該特典を付与することが決定される確率の高いテーブルデータを選択するように構成する。
【手続補正３】
【補正対象書類名】明細書
【補正対象項目名】００１０
【補正方法】変更
【補正の内容】
【００１０】
これによれば、前記補助遊技用ユニットの特典等付与決定手段によって特典を付与するか否かの決定がなされ、獲得ポイント情報のポイント数に応じて、前記特典を付与する確率が変動されるので、従来のように遊技店の店員が獲得ポイント数を確認したり、対応する特典を選ぶ作業が不要となり、来店頻度の高い大事な顧客等に対する特典の付与を確実かつ円滑に行って顧客の満足度を向上させることができる。
また、通常図柄での大当りが発生した場合よりも確率変動図柄での大当りが発生した場合の方が、該特典を付与することが決定される確率の高いテーブルデータを選択するように構成することで、確率変動図柄での大当りが発生した場合の顧客の満足度をより向上させることができる。
【手続補正４】
【補正対象書類名】明細書
【補正対象項目名】００１１
【補正方法】変更
【補正の内容】
【００１１】
なお、技術的には補助遊技用ユニットの制御により前記特典を自動的に付与することも十分に可能であるが、不正行為等を排除する観点から、特典等付与決定手段による結果を報知手段により報知だけを行う構成としている。したがって、実際の特典（例えば、持ち球を景品と交換せずに継続遊技を可能にするサービス（「無制限」の札を貸与する）や、遊技内容を設定可能な機種について遊技者に有利な設定を獲得する「設定変更権利」の付与や、賞品球の通常の交換率（例えば１球当たり２．５円）を特別な交換率（例えば１球当たり４円）に変更する「出球交換率変更権利」の付与等）の提供は、報知手段の報知に基づいて遊技店の店員が補助遊技用ユニット等をチェックし、不正がないことを確認した上で、店員が所定の操作等を行ってはじめて上記特典が遊技者に提供されることとなる。
【手続補正５】
【補正対象書類名】明細書
【補正対象項目名】００１２
【補正方法】変更
【補正の内容】
【００１２】
また、前記遊技者識別情報は、遊技者毎に発行される記憶媒体に記憶されるようにするとよい。カード状の記憶媒体としては、磁気カードやＩＣカードが一般的であるが、遊技者識別情報を記憶できるものであれば何であってもよい。なお、上記管理装置によって記憶される獲得ポイント数を、このカード状の記憶媒体にも記録するようにしてもよい。
【手続補正６】
【補正対象書類名】明細書
【補正対象項目名】００１３
【補正方法】削除
【補正の内容】
【手続補正７】
【補正対象書類名】明細書
【補正対象項目名】００４０
【補正方法】変更
【補正の内容】
【００４０】
パチンコ遊技機１００，補助遊技用ユニット１０３および管理装置（遊技者情報管理装置）２００等に電源が供給された状態において、遊技者が会員カードＣを補助遊技用ユニット１０３のカード挿入口１０４に挿入する。するとカードリーダ１１２は会員カードＣの磁気記録部あるいは半導体記憶部から遊技者識別情報（カードＩＤ）を読み出して、制御部１１０の制御によりその遊技者識別情報は遊技店内ネットワークＮを介して管理装置２００に送信される。
【手続補正８】
【補正対象書類名】明細書
【補正対象項目名】００６５
【補正方法】変更
【補正の内容】
【００６５】
【発明の効果】
本発明は、複数の遊技機と、前記各遊技機毎に設置されて、遊技者毎に付与された遊技者識別情報を取得可能な補助遊技用ユニットと、前記補助遊技用ユニットと接続されて、前記遊技者識別情報に対応して遊技者に所定の特典を付与するための獲得ポイント情報を記憶保持可能であるとともに特定の遊技条件の成立に基づいて該獲得ポイント情報を更新する管理装置と、を備えた遊技場システムにおいて、前記補助遊技用ユニットは、所定条件の成立に基づいて、所定の確率で前記特典を付与するか否かを決定する特典等付与決定手段と、前記特典等付与決定手段による結果を報知する報知手段と、を備え、前記特典等付与決定手段は、前記獲得ポイント情報のポイント数に応じて、前記特典を付与することが決定される確率を変動可能であり、該ポイント数が多い程該特典を付与することが決定される確率を高めるようにしたので、前記補助遊技用ユニットの特典等付与決定手段によって特典を付与するか否かの決定がなされ、獲得ポイント情報のポイント数に応じて、前記特典を付与する確率が変動されるので、従来のように遊技店の店員が獲得ポイント数を確認したり、対応する特典を選ぶ作業が不要となり、来店頻度の高い大事な顧客等に対する特典の付与を確実かつ円滑に行って顧客の満足度を向上させることができるという効果がある。